(57)【特許請求の範囲】
【請求項１】
鍵部及び握持部を有する操作ハンドルと、この操作ハンドルによって施錠・解錠可能な錠本体とからなる施錠装置において、
前記操作ハンドルにおける前記鍵部は、軸部とこの軸部より径方向外方へ延びる延出部とを有し、
前記錠本体は、回動体と、前端部にほぼ十字型の鍵穴を有し、後端部が開放され、前記前端部と前記後端部との間に前記回動体を回動可能に収納する円筒状空間部が形成されているハウジングと、前記円筒状空間部内にあって前記ハウジングの前記前端部とこの前端部に対向する前記回動体の前面部との間に配置され、前記鍵穴を前記ハウジングの内側から閉鎖可能なほぼ十字型のシャッター板と、このシャッター板を前記ハウジングの前記前端部後面に押圧して前記鍵穴を閉鎖するスプリングとを備え、
前記回動体は、前記前面部から前記ハウジングの後端部方向へ延び、前記ハウジングの前記鍵穴から差し込まれた前記操作ハンドルにおける前記鍵部の前記延出部が前記回動体の回転方向に係止可能であり、開口形状がほぼ十字型の凹部と、前記ハウジングの前記後端部から後方へ延出する爪金具連結用の軸部とを有し、
前記凹部は、前記鍵穴に差し込まれた前記鍵部が前記シャッター板を前記スプリングの付勢力に抗して押圧すると、前記シャッター板と前記鍵部とが進入可能に形成され、かつ前記操作ハンドルを回転させると、進入した前記延出部が十字型の前記凹部の内面に前記回転方向から圧接して前記シャッター板を前記回動体と共に回転させるように形成され、
前記シャッター板は、ベース板と、このベース板の前面に設けられた少なくとも１つの第１突起部とを備え、前記シャッター板が前記ハウジングの前記前端部後面に押圧されるとき、前記第１突起部が十字型の前記鍵穴を構成する径方向溝穴部に嵌合して前記鍵穴の一部を埋めることを特徴とする施錠装置。
【請求項２】
前記施錠装置が、更に前記回動体の回転を一定角度範囲内に規制する回転規制手段を備え、この一定角度範囲が前記鍵穴における隣り合う前記径方向溝穴部がなす角度である請求項１に記載の施錠装置。
【請求項３】
前記操作ハンドルにおける前記鍵部の前記延出部の厚みをａ、前記第１突起部の表面から前記シャッター板後面までの距離をｂ、前記シャッター板における前記ベース板の厚みをｃ、前記ハウジングの前記前端部後面から前記回動体の前記凹部における前記シャッター板の移動停止位置までの距離をＬとすると、ａ＋ｃ＜Ｌ≦ａ＋ｂの関係が成立するように前記ａ、ｂ、ｃ、及びＬの寸法が選択される請求項１又は２に記載の施錠装置。
【請求項４】
前記回動体が、その前面部を前記ハウジングの前端部後面と間隔をあけて前記ハウジング内の前記円筒状空間部に配置され、前記シャッター板には、このシャッター板が前記ハウジングの前記前端部後面に押圧されている状態で、前記回動体における十字型の前記凹部を構成している径方向凹溝部に進入可能な第２突起部が形成されている請求項１〜３のいずれかに記載の施錠装置。
【発明の詳細な説明】
【０００１】
【発明の属する技術分野】
本発明は施錠装置に関し、更に詳細には非操作時には鍵穴がシャッター板により閉鎖された防水及び防塵形式の施錠装置に関する。
【０００２】
【従来の技術】
従来、この種の施錠装置は、特開平９−９６１３３号公報に開示されているように既に周知である。この特開平９−９６１３３号公報に開示された「取外し型ロックハンドル装置」の構成を簡単に説明する。この公開特許公報に開示された取外し型ロックハンドル装置は受座本体１を備え、この受座本体１は図５及び図６に示されるように受穴１ａが形成された前面部を備え、この前面部の円周側内壁面には複数の回転規制用突起１ｂ，１ｃが設けられている。
【０００３】
この受座本体１の内部には、図７に示されるローター２が収容されている。このローター２は、内周部に３つの受動用脚２ａと１つの回転角度規制用脚２ｂを径方向内方に突設し、後端部に止め金板３を連結するための軸部２ｃを連設している。受座本体１の内部には錠止板４が収容されている。
【０００４】
この錠止板４は施錠や解錠の操作をしない時に受座本体１の前面部に密着して回転規制用突起１ｂ間の錠止溝１ｄに係止する４つの係止用爪部を外周に突設し、これら係止用爪部の間に連動用切欠を形成している。また、この錠止板４は、解錠操作時及び施錠操作時に、先端部に駆動用突起５ａを設けた操作ハンドル５が受座本体１の受穴１ａから挿入されることによりローター２に向かって押し込まれる。
【０００５】
その際に、ローター２の内周部に突設されている受動用脚２ａと回転角度規制用脚２ｂとが錠止板４の各係止用爪部間の連動用切欠に相対的に入ることにより錠止板４はローター２内に押し込まれる。その後、操作ハンドル５を回転すると、駆動用突起５ａが受動用脚２ａ又は回転角度規制用脚２ｂの側面に係止してローター２が回転する。このようにしてローター２が回転すると、ローター２の後端部における軸部２ｃに連結されている止め金板３が旋回する。
【０００６】
この取外し型ロックハンドル装置では、角度規制用脚２ｂの前端がローター２の前端部から軸方向に突出し、受座本体１の回転規制用突起１ｃ間の１つの錠止溝１ｄに位置して前面部内面に接触又は近接している。従って、ローター２を回転させた時に、この角度規制用脚２ｂが周方向両隣の回転規制用突起１ｃの側部に当たり、これによりローター２の回転が所定範囲に規制される。
【０００７】
更に、施錠操作又は解錠操作の後に操作ロッド５を受穴１ａから抜いた時には、受座本体１の前面部内面に密着する錠止板４の連動用切欠に角度規制用脚２ｂが相対的に入り込んだままであり、同時に錠止板４の係止用爪部が受座本体１の前面部の円周側内壁面に形成されている回転規制用突起１ｂ間の錠止溝１ｄに係止するため、ローター２の回転が阻止される。
【０００８】
【発明が解決しようとする課題】
しかしながら、従来の取外し型ロックハンドル装置では、これを正面側から見ただけでは施錠状態にあるのか、或いは解錠状態にあるのか分からないという問題があった。すなわち、前述した従来の取外し型ロックハンドル装置では、施錠後は勿論のこと、解錠後でも操作ロッド５を受座本体１の受穴１ａから抜き取ることができるため、操作ロッド５を抜き取ってしまうと、施錠状態にあるのか解錠状態にあるのか判別できない。
【０００９】
特に、人が入って操作点検を行うような、例えば電気室或いは機械室等の扉にこの取外し型ロックハンドル装置を取り付けて使用した場合、人が室内に居る時に誤って施錠し、操作ロッドを受座本体の受穴から抜き取ってしまうと、室外からは施錠状態となっていることに気が付き難く、室内から作業者が出られなくなる恐れも想定される。
【００１０】
また、従来の取外し型ロックハンドル装置では、ローター２の回転を所定範囲に規制する手段として受座本体１の回転規制用突起１ｃを用い、更に施錠時及び解錠時におけるローターの回転を阻止する手段としては、受座本体１の回転規制用突起１ｂを用いて錠止板４の回転防止を図ると同時にこの錠止板４にローターの角度規制用脚２ｂを係止している。
【００１１】
これらの回転規制用突起１ｂ，１ｃはいずれも受座本体１の前面部における円周側内壁面に一体的に形成されている。しかし、受座本体１の製作時にこの回転規制用突起１ｂ，１ｃを加工することは難しく、そのため製造コストが高くなるという問題もあった。
【００１２】
本発明の目的は、かかる従来の問題点を解決するためになされたもので、非操作時に鍵穴を内側から覆って閉鎖するシャッター板を備える防水及び防塵形式の施錠装置において、正面側から見た時に施錠又は解錠の状態を容易に判別でき、更に簡素な構造により製作容易な施錠装置を提供することにある。
【００１３】
【課題を解決するための手段】
本発明は施錠装置であり、前述した技術的課題を解決するために以下のように構成されている。すなわち、本発明は、鍵部及び握持部を有する操作ハンドルと、この操作ハンドルによって施錠・解錠可能な錠本体とからなる施錠装置において、操作ハンドルにおける鍵部は、軸部とこの軸部より径方向外方へ延びる延出部とを有し、錠本体は、回動体と、前端部にほぼ十字型の鍵穴を有し、後端部が開放され、前端部と後端部との間に回動体を回動可能に収納する円筒状空間部が形成されているハウジングと、円筒状空間部内にあってハウジングの前端部とこの前端部に対向する回動体の前面部との間に配置され、鍵穴をハウジングの内側から閉鎖可能なほぼ十字型のシャッター板と、このシャッター板をハウジングの前端部後面に押圧して鍵穴を閉鎖するスプリングとを備え、回動体は、前面部からハウジングの後端部方向へ延び、ハウジングの鍵穴から差し込まれた操作ハンドルにおける鍵部の延出部が回動体の回転方向に係止可能であり、開口形状がほぼ十字型の凹部と、ハウジングの後端部から後方へ延出する爪金具連結用の軸部とを有し、凹部は、鍵穴に差し込まれた鍵部がシャッター板をスプリングの付勢力に抗して押圧すると、シャッター板と鍵部とが進入可能に形成され、かつ操作ハンドルを回転させると、進入した延出部が十字型の凹部の内面に回転方向から圧接してシャッター板を回動体と共に回転させるように形成され、シャッター板は、ベース板と、このベース板の前面に設けられた少なくとも１つの第１突起部とを備え、前記シャッター板がハウジングの前端部後面に押圧されるとき、前記第１突起部が十字型の鍵穴を構成する径方向溝穴部に嵌合して鍵穴の一部を埋めることを特徴とする。
【００１４】
本発明の施錠装置は、前述した必須の構成要素からなるが、その構成要素に更に以下のような構成を加えた場合であっても成立する。その付加的構成要素とは、回動体の回転を一定角度範囲内に規制する回転規制手段である。この一定角度範囲は、鍵穴を構成している隣り合う径方向溝穴部がなす角度である。
【００１５】
また、本発明の施錠装置では、その構成要素が具体的に以下のような場合であっても成立する。その具体的構成要素とは、操作ハンドルにおける鍵部の延出部の厚みをａ、第１突起部の表面からシャッター板後面までの距離をｂ、シャッターにおけるベース板の厚みをｃ、ハウジングの前端部後面から回動体の凹部におけるシャッター板の移動停止位置までの距離をＬとすると、ａ＋ｃ＜Ｌ≦ａ＋ｂの関係が成立するように前記ａ、ｂ、ｃ、及びＬの寸法を選択することを特徴とする。
【００１６】
更に、本発明の施錠装置では、回動体が、その前面部を前記ハウジングの前端部後面と間隔をあけてハウジング内の円筒状空間部に配置され、シャッター板には、このシャッター板がハウジングの前端部後面に押圧されている状態で、回動体における十字型の凹部を構成している径方向凹溝部に進入可能な第２突起部が形成されていることを特徴とする。
【００１７】
【発明の実施の形態】
以下、本発明の施錠装置を図に示される実施形態に基づいて更に詳細に説明する。図１はこの施錠装置を扉に取り付け、操作ロッドで解錠操作する時の状態を示す斜視図、図２は本発明の一実施形態に係る施錠装置を図１のＡ−Ａ線で切断して示す縦断面図、図３はこの施錠装置の各構成部品を示す分解斜視図である。
【００１８】
この実施形態に係る施錠装置１０は、図１に示されるように鍵部１１ａ及び握持部１１ｂを有する操作ハンドル１１と、この操作ハンドル１１によって施錠・解錠が可能な錠本体１２とから構成されている。操作ハンドル１１の鍵部１１ａは、握持部１１ｂから延びる軸部１１ｃの先端部に設けられ、この軸部１１ａの径方向外方に延びる延出部１１ｄを有している。
【００１９】
錠本体１２は、内部に円筒状空間部１３ａを形成し、この円筒状空間部１３ａの軸方向を前後方向として前方側に前端部１３ｂを有し且つ後方側を開放したハウジング１３を備えている。このハウジング１３の円筒状空間部１３ａ内には、回動体１４が回転可能に収納されている。
【００２０】
この回動体１４は、ハウジング１３の前端部１３ｂに対向する前面部から内方に向かって形成された凹部１５を備えている。回動体１４の前面部から見た凹部１５の開口形状は十字型をしている。具体的には、凹部１５は、回動体１４の回転中心軸線を中心線として形成された中心凹部１５ａと、この中心凹部１５ａから径方向に延出して形成された４つの径方向凹溝部１５ｂとにより形成されている。
【００２１】
ハウジング１３の前端部１３ｂには、これを貫通する十字型の鍵穴１６が形成されている。この鍵穴１６の開口形状は、回動体１４に形成された凹部１５の開口形状に対して僅かに小さいほぼ相似形状の十字型をしている。従って、ハウジング１３の前端部１３ｂに形成された鍵穴１６は、回動体１４の凹部１５と同様に、一軸線を中心線とする中心穴部１６ａと、この中心穴部１６ａから径方向に延出する４つの径方向溝穴部１６ｂとにより形成され、この中心穴部１６ａの中心軸線と回動体１４の回転中心軸線とは一致している。
【００２２】
ハウジング１３の円筒状空間部１３ａにおいて、ハウジング１３の前端部１３ｂとこれに対向する回動体１４の前面部との間には、ベース板１７′を基本要素として備えるシャッター板１７が配置されている。このシャッター板１７の外形形状は、回動体１４における凹部１５の開口形状に整合する。すなわち、このシャッター板１７は、図３から明らかなように９０度の間隔で径方向外方に張り出した４つの羽根部１７ａ〜１７ｄを有し、前後方向から見た形状は、回動体１４の凹部１５と同様に十字型をしている。
【００２３】
このようにシャッター板１７は、前後方向から見た形状が回動体１４における凹部１５の開口形状にほぼ一致する形状であることから凹部１５内を前後方向に移動可能である。このシャッター板１７は、ハウジング１３の前方へ作用力を向けるように凹部１５内に配置されたコイルスプリング１８によりハウジング１３の前端部１３ｂに向かって付勢され、この前端部１３ｂの後面に押圧される。
【００２４】
シャッター板１７がハウジング１３の前端部１３ｂの後面に押圧されるときのハウジング１３に対する回動体１４の回転位置関係として、回動体１４の凹部１５とハウジング１３の鍵穴１６との各開口形状が前方から見てほぼ重なる関係にある時には、シャッター板１７の各羽根部１７ａ〜１７ｄがそれぞれ鍵穴１６の各径方向溝穴部１６ｂに後面側から重なってこの部分を閉鎖することになる。
【００２５】
このシャッター板１７において、図１〜図３で見て上下方向を縦方向とすると、縦方向に位置している２つの各羽根部１７ａ、１７ｃにおけるベース板１７′の表面には第１突起部１７ｅが形成されている。各第１突起部１７ｅは、シャッター板１７がハウジング１３の前端部１３ｂの後面に押圧されて鍵穴１６を閉鎖するとき、この鍵穴１６における縦方向に位置する相対向する２つの径方向溝穴部１６ｂに嵌合し、これら各径方向溝穴１６を埋めている。
【００２６】
一方、このシャッター板１７におけるベース板１７′の後面には、このシャッター板１７がハウジング１３の前端部１３ｂの後面に押圧されて鍵穴１６を閉鎖しているときにも回動体１４の凹部１５の各径方向凹溝部１５ｂに進入している第２突起部１７ｆが形成されている。この第２突起部１７ｆは、各羽根部１７ｂ、１７ｄにおけるベース板１７′の後面に形成されている。ただし、図示例のように回動体１４の前面部がハウジング１３の前端面１３ｂ後面に密着している場合には、後述する動作説明から明らかなように第２突起部１７ｆを形成する必要はなく、羽根部１７ａ〜１７ｄの基本構成要素であるベース板１７′自体がこの第２突起部１７ｆと同じ作用をする。
【００２７】
ハウジング１３の円筒状空間部１３ａ内に回転可能に収納された回動体１４の後方部には、ハウジング１３における円筒状空間部１３ａの開放した後方に延出すると共に軸方向に並んで大小２つの角形の軸部１４ａ、１４ｂが形成されている。前方側の大きな角形の軸部１４ａには、ほぼ円形の係止板１９がその中心に形成された角穴１９ａを嵌合させて装着されている。
【００２８】
大きな角形の軸部１４ａに装着された係止板１９は、ハウジング１３の円筒状空間部１３ａを開放している後端周縁部に摺接する程に近接している。この係止板１９の周囲部には、周方向に間隔をあけた２つの部位で係止部１９ｂ、１９ｃが外方に突出している。この係止部１９ｂ、１９ｃ間に対応する位置において、ハウジング１３の後端部から軸方向に一体的に突出したストッパー１３ｃが形成されている。
【００２９】
係止板１９の係止部１９ｂ、１９ｃは、回動体１４を相反する方向に交互に回転して一方の係止部１９ｂと他方の係止部１９ｃとがハウジング１３の後端部に設けられているストッパー１３ｃの各側部に交互に当たってそれぞれ係止するときの回動体１４の回転角が約９０度になるように設けられている。回動体１４の回転角が約９０度になるように係止板１９の係止部１９ｂ、１９ｃとハウジング１３のストッパー１３ｃとの位置関係を設定する理由は、回動体１４における凹部１５の開口形状が十字型であるからである。このように係止部１９ｂ、１９ｃを備える係止板１９と、ハウジング１３の後端部に形成されたストッパー１３ｃとが回動体１４の回転を一定角度範囲内に規制する回転規制手段を構成している。
【００３０】
一方、小さな角形の軸部１４ｂには、爪金具２０がその基端部に形成された角穴２０ａにこの軸部１４ｂを嵌め込んで装着されている。その際、この軸部１４ｂには、前方側の軸部１４ａに装着された係止板１９の側面にまで周囲部が及ぶ直径のワッシャ２１を介在させ、角形軸部１４ａからの係止板１９の抜け落ちを防止している。
【００３１】
角形の軸部１４ｂの端面にはねじ穴が形成されており、このねじ穴にワッシャ２２を介して固定ねじ２３を螺合することにより角形の軸部１４ｂからの爪金具２０の抜け落ちが防止されている。これにより、回動体１４が回転すると爪金具２０が角形の軸部１４ｂを中心として旋回する。なお、図２及び図３において、符号２４は、回動体１４の外周面に形成された環状溝１４ｃに嵌め込まれた防水用のＯリングであり、回動体１４はこのＯリング２４によりハウジング１３の円筒状空間部１３ａ内周面に対して封密的に収納されている。また、符号２５はハウジング１３の円筒状空間部１３ａ内周面に形成された環状溝１３ｄに嵌め込まれた抜け落ち防止バネである。
【００３２】
この施錠装置１０は、ハウジング１３の前端部に形成されているフランジ１３ｅが扉２６の表面にパッキング２７を挟んで密着するように扉２６に形成された取付け穴に正面側から入れられ、扉２６の裏面に出たハウジング１３の外周ねじ部１３ｆにＯリング２８を嵌め込んだ後にナット２９を螺合して締め付けることにより、扉２６に堅固に取り付けられる。
【００３３】
次に、この施錠装置１０の動作について説明する。この施錠装置１０が図１に示される施錠状態にあるとき、シャッター板１７はコイルスプリング１８の付勢力によりハウジング１３における前端部１３ｂの後面に押しつけられ、シャッター板１７の縦方向に延びた各羽根部１７ａ、１７ｃの表面における第１突起部１７ｅが鍵穴１６の縦方向に延びた２つの径方向溝穴部１６ｂに嵌合し、この径方向溝穴部１６ｂの一部を埋めている。
【００３４】
従って、この施錠装置１０では、これを正面側から見た時、縦方向の径方向溝穴部１６ｂが第１突起部１７ｅで埋まっている場合を「施錠状態」と、操作者を含めて関係者は認識しておく。また、シャッター板１７がハウジング１３の前端部１３ｂの後面に押圧されているときには、ベース板１７′（回動体１４の前面部が、ハウジング１３の前端部１３ｂ後面からベース板１７′の厚み以上の間隔をあけた位置にある場合にはベース板１７′の後面に形成された第２突起部１７ｆ）が回動体１４の凹部１５の径方向凹溝部１５ｂに進入しているため、回動体１４はシャッター板１７を介してハウジング１３に回転方向に対して固定された状態にあり、その結果、扉２６の裏面側から爪金具２０を旋回させることにより回動体１４を回転させて解錠することはできない。
【００３５】
次に、この施錠装置１０を解錠して扉２６を開閉する際には、操作ハンドル１１の鍵部１１ａをハウジング１３における前端部１３ｂの鍵穴１６に差し込み、シャッター板１７をコイルスプリング１８の付勢力に抗して回動体１４の凹部１５へ押し込む。これによりシャッター板１７の各羽根部１７ａ、１７ｂ表面における第１突起部１７ｅが鍵穴１６の径方向溝穴部１６ｂから外れると共に操作ハンドル１１の先端に鍵部１１ａとして設けられている２つの延出部１１ｄが回動体１４の２つの径方向凹溝部１５ｂに入る。
【００３６】
この状態で操作ハンドル１１を回転すると、鍵部１１ａの２つの延出部１１ｄが径方向凹溝部１５ｂの内面に圧接して回動体１２を回転させ、係止板１９における係止部１９ｂ、１９ｃの一方がハウジング１３の後端部のストッパー１３ｃの側部に当たって停止する。このときの回動体１４の回転角は約９０度である。その結果、固定枠３０に係止しているほぼ水平状態の爪金具２０が矢印３１の方向に旋回して起立し、爪金具２０が固定枠３０から外れ、扉２６を開閉することができ、この状態が施錠装置１０の解錠状態である。
【００３７】
施錠装置１０が解錠状態にあるとき、操作ハンドル１１をこの施錠装置１０から引き抜くと、回動体１４の凹部１５に押し込まれていたシャッター板１７がコイルスプリング１８の付勢力により押し戻されて再びハウジング１３における前端部１３ｂの後面に押圧される。その時、シャッター板１７は回動体１４と共に約９０度回転されているため、施錠時に縦方向に位置していたシャッター板１７の羽根部１７ａ、１７ｃは、横方向に位置を変えた状態でハウジング１３の前端部１３ｂ後面に戻ってくることから、各羽根部１７ａ、１７ｃの第１突起部１７ｅは、鍵穴１６における横方向に延びた２つの径方向溝穴部１６ｂに嵌合し、この横方向の径方向溝穴部１６ｂの一部を埋める。
【００３８】
このように、施錠後と解錠後とでは、シャッター板１７の第１突起部１７ｅで埋められる鍵穴１６の２つの径方向溝穴部１６ｂが異なる。その結果、施錠装置１０を正面側から見た時、この施錠装置が解錠状態にあるのか、或いは施錠状態にあるのかを判別することができる。このような判別は、例えば鍵穴１６の２つの径方向溝穴部１６ｂに嵌合して埋めるシャッター板１７の第１突起部１７ｅの表面を認識しやすい色で着色しておけば、なお一層容易となる。
【００３９】
図１〜図３に示された施錠装置１０では、回動体１４に設けられた凹部１５の開口形状が十字型をしたものであり、これに伴ってハウジング１３の鍵穴１６も、またシャッター板１７の形状も十字型であったが、本発明はこの形状に限定されるものではなく、例えば回動体１４の凹部１５における開口形状について言えば、中心凹部１５ａから径方向に延出した少なくとも２以上の径方向凹溝部１５ｂが形成されていればよい。その場合にはシャッター板１７の前方側形状及び鍵穴１６の開口形状は前述した趣旨に沿って形成され、更に回動体の回転角度も前述した趣旨に沿って設定、即ち鍵穴における隣り合う径方向溝穴部１６ｂがなす角度に設定する必要がある。
【００４０】
前述した施錠装置１０では、施錠又は解錠時に操作ハンドル１１の鍵部１１ａを鍵穴１６に差し込んで回動体１４を回転させる場合、鍵部１１ａの延出部１１ｄをどの径方向溝穴部１６ｂに入れるかは特に問題としていない。すなわち、シャッター板１７の第１突起部１７ｅが嵌合している径方向溝穴部１６ｂに、鍵部１１ａの延出部１１ｄを入れた場合でも、鍵部１１ａはシャッター板１７を回動体１４の凹部１５内に押し込みながら回動体１４の凹部１５に入るので、回動体１４を回転させることができる。この理由は、回動体１４の凹部１５の深さ、即ち軸方向の長さと、延出部１１ｄの厚み、シャッター板１７におけるベース板１７′、及び第１突起部１７ｅの厚みとの関係によるもので、鍵穴１６から挿入した鍵部１１ａの延出部１１ｄがシャッター板１７と共に回動体１４の凹部１５内に入り込める余地が凹部１５の深さにあるからである。
【００４１】
この点について更に具体的に説明すると、図４に示すように、いま、回動体１４の前面部がハウジング１３の前端部１３ｂ後面に密着しているものとして、回動体１４の凹部１５におけるシャッター板１７の移動可能な深さ（以下、有効深さと称し、図示例の場合、この有効深さは、シャッター板１７の後面中央部に当接してその移動を停止する凹部内の中央奥壁と前面部との間の距離）をＬとし、操作ハンドル１１の鍵部１１ａにおける延出部１１ｄの厚みをａとし、羽根部１７ａ、１７ｃにおける第１突起部１７ｅの表面からシャッター板１７の後面中央部（ベース板１７′の後面）までの厚みをｂとし、ベース板１７′の厚み（第１、第２突起部１７ｅ、１７ｆを除いた羽根部１７ｂ、１７ｄの厚み）をｃとする。この場合、凹部１５の有効深さＬが、（ａ＋ｂ）よりも長い場合には、鍵部１１ａの延出部１１ｄを、シャッター板１７の第１突起部１７ｅが嵌合している径方向溝穴部１６ｂに入れた場合でも、延出部１１ｄは回動体１４の凹部１５にまで入るので、回動体１４を回転させることができる。
【００４２】
しかし、鍵部１１ａの延出部１１ｄを、シャッター板１７の第１突起部１７ｅが嵌合している径方向溝穴部１６ｂに入れて施錠又は解錠をしようとした場合には、回動体１４を回転させないようにしておくことがよい場合がある。それは、シャッター板１７の第１突起部１７ｅが嵌合している径方向溝穴部１６ｂの位置の確認ができるからである。つまり、施錠又は解錠時に、操作ハンドル１１の鍵部１１ａにおける延出部１１ｄを、第１突起部１７ｅの嵌合していない径方向溝穴部１６ｂに差し込んだ場合にだけ回動体１４が回転するようにすれば、錠本体１２が施錠又は解錠のいずれの状態にあるかの判別はより一層明確になる。
【００４３】
そこで、そのようにするには、少なくとも凹部１５の有効深さＬが、シャッター板の前述した各部位の厚みや距離の合計（ａ＋ｂ）よりも短くかつシャッター板の前述した各部位の厚みや距離の合計（ａ＋ｃ）よりも長いか若しくは等しくなるように、凹部１５の有効深さＬの寸法とａ〜ｃの寸法とを選択すればよい。すなわち、ａ＋ｃ＜Ｌ≦ａ＋ｂなる式が成立するように必要な部位の寸法を選択すればよい。ａ＋ｃ＜Ｌの関係が成立していれば、図４において中心線より下半分に示すように操作ハンドル１１の鍵部１１ａにおける延出部１１ｄを、第１突起部１７ｅの嵌合していない径方向溝穴部１６ｂに差し込んだ場合に延出部１１ｄが回動体１４の凹部１５に入り込んで回動体１４を回転でき、またＬ≦ａ＋ｂが成立していれば、図４において中心線より上半分に示すように操作ハンドル１１の鍵部１１ａにおける延出部１１ｄを、第１突起部１７ｅの嵌合している径方向溝穴部１６ｂに差し込んだ場合に延出部１１ｄが回動体１４の凹部１５に入り込めず、回動体１４の回転を起こせなくなる。ただし、羽根部１７ａ、１７ｃの表面に形成されている第１突起部１７ｅの厚みが、操作ハンドル１１における延出部１１ｄの厚みａより小さいことも条件の一つとなる。
【００４４】
この施錠装置１０によると、シャッター板１７が施錠後と解錠後にハウジング１３の前端部１３ｂ後面に押圧されるとき、シャッター板１７の表面における第１突起部１７ｅが嵌合して埋める鍵穴１６の径方向溝穴１６ｂを異にすることから、どの径方向溝穴１６ｂが第１突起部１７ｅで埋められているかを施錠装置１０の前方側から見ることにより、施錠状態にあるのか、或いは解錠状態にあるのかをすぐに判別することができる。
【００４５】
また、シャッター板１７が施錠後と解錠後にハウジング１３の前端部１３ｂ後面に押圧されるとき、シャッター板１７の表面における第１突起部１７ｅが鍵穴１６の径方向溝穴１６ｂに嵌合することでシャッター板１７が回転不能となり、しかも回動体１４の前面部がハウジング１３の前端部１３ｂ後面に密着している場合にはシャッター板１７のベース板１７′が、又回動体１４の前面部がハウジング１３の前端部１３ｂ後面に対して間隔をあけている場合には羽根部１７ｂ、１７ｄの後面における第２突起部１７ｆが回動体１４の凹所１５に進入して回転方向に係止するため、回動体１４の回転がロックされることになる。
【００４６】
このことは、操作ハンドル１１による施錠又は解錠の操作時以外は回動体１４の後端部に取り付けられた爪金具２０を旋回せることができないことを意味する。そのため、操作ハンドル１１の鍵部１１ａを鍵穴１６から抜いた状態で、扉２６の内側から故意に爪金具２０を旋回させたり、或いは起立した爪金具２０が自然に旋回して倒れたりするようなことも防止することができる。
【００４７】
従来の取外し型ロックハンドル装置では、図５〜図７を参照して説明したように、非操作時に爪金具が旋回しないようにするローター回転防止手段として、回転規制用突起を受座本体の前面部における円周側内壁面に一体的に形成していたが、本発明の施錠装置ではシャッター板に第１突起部と第２突起部を形成するだけであり、ハウジングの円筒状空間部内に複雑な突起を形成しない非常に簡素な構成となっている。そのため、ハウジング製作時の加工が容易で、その結果施錠装置の製作が容易となり生産性を向上させることが可能となる。
【００４８】
【発明の効果】
本発明の施錠装置によれば、施錠後及び解錠後に操作ハンドルの鍵部を鍵穴から外した場合でも、この施錠装置が施錠状態にあるのか、或いは解錠状態にあるのかを正面側から見るだけですぐに判別することができる。また、本発明の施錠装置によれば、操作ハンドルの鍵部を鍵穴から抜いた状態で扉の内側から爪金具を旋回させたり、或いは起立した爪金具が旋回して倒れたりするのを防止する手段を設ける際に、ハウジングを複雑な構造としていないことから、この施錠装置の製作が容易となり、生産性を向上させることができる。
【図面の簡単な説明】
【図１】本発明の施錠装置を扉に取り付けて使用している状態を示す斜視図である。
【図２】図１に示される施錠装置の錠本体を図１のＡ−Ａ線で切断して示す縦断面図である。
【図３】図２に示される施錠装置における錠本体の各構成部品を示す分解斜視図である。
【図４】操作ハンドルにおける鍵部の延出部を鍵穴の異なる径方向溝穴に挿入したときの延出部とシャッター板との関係を、中心線より上半分と下半分とにそれぞれ概略的に示す部分断面図である。
【図５】従来の取外し型ロックハンドル装置の断面図である。
【図６】従来の取外し型ロックハンドル装置における受座本体の背面図である。
【図７】従来の取外し型ロックハンドル装置における受座本体に収納されるローターの正面図である。
【符号の説明】
１０  施錠装置
１１  操作ハンドル
１１ａ  鍵部
１１ｂ  握持部
１１ｃ  軸部
１１ｄ  延出部
１２  錠本体
１３  ハウジング
１３ａ  円筒状空間部
１３ｂ  前端部
１３ｃ  ストッパー
１３ｄ  環状溝
１３ｅ  フランジ
１３ｆ  外周ねじ部
１４  回動体
１４ａ、１４ｂ  角形の軸部
１４ｃ  環状溝
１５  凹部
１５ａ  中心凹部
１５ｂ  径方向凹溝部
１６  鍵穴
１６ａ  中心穴部
１６ｂ  径方向溝穴部
１７  シャッター板
１７′  ベース板
１７ａ〜１７ｄ  羽根部
１７ｅ  第１突起部
１７ｆ  第２突起部
１８  コイルスプリング
１９  係止板
１９ａ  角穴
１９ｂ、１９ｃ  係止部
２０  爪金具
２０ａ  角穴
【図１】
0003865652.tif 000002
【図２】
0003865652.tif 000003
【図３】
0003865652.tif 000004
【図４】
0003865652.tif 000005
【図５】
0003865652.tif 000006
【図６】
0003865652.tif 000007
【図７】
0003865652.tif 000008